(57)【要約】      （修正有）【課題】小型軽量で、特に外科的処置及び／又は医療処置を快適に実施できるユーザーウェアラブル照明装置の提供。【解決手段】ユーザーウェアラブル照明組立体１０は、眼鏡、ゴーグル、フェイスマスク、又は他の装置のようなユーザーウェアラブル装置１１に結合されるように適合されている取付固定部を備えている。光導波管１６は、光源１７に結合され得る第１の端部２２と、取付固定部、レンズハウジング１２の順番に結合された第２の端部とを有している。レンズハウジングの光学レンズは、光導波管と協働して、レンズを通じて光源から光を照射する。一の実施例においては、レンズは、光導波管の第２の端部に面している略球状面と、光導波管の第２の端部から離隔している非球面とを有している。他の実施例においては、取付固定部は、レンズハウジングを所望の方向に直接照射された光に対して独立的に又は同時に調整可能な関節部を備えている。【選択図】図１
2007194196.tif 000002
【特許請求の範囲】
【請求項１】
ユーザーウェアラブル装置に結合されるように適合された取付固定部と、
前記取付固定部に結合されたレンズハウジングと、
光源に結合されるように適合された第１の端部、及び前記レンズハウジングに結合された第２の端部を有している光導波管と、
前記レンズハウジング内に配置され、光源から光学レンズを通じて光を照射するように前記光導波管と協働する前記光学レンズであって、前記光導波管の前記第２の端部に面している非球面状の表面、及び前記光導波管の前記第２の端部から離隔して面している略球面状の表面を有している前記光学レンズと、
を備えていることを特徴とするユーザーウェアラブル照明組立体。
【請求項２】
前記光学レンズは、約１２ｍｍより小さい、クリアなレンズ口径を有していることを特徴とする請求項１に記載の照明組立体。
【請求項３】
ユーザーウェアラブル装置に結合されるように適合されており、対向配置された第１の弓形状スロット及び第２の弓形状スロットを含んでいる第１の部分、及び前記第１の部分と相対的に第１の軸線回りに回動運動するために前記第１の部分に結合されており、前記第１の軸線回りに前記第２の部分を回動可能に移動させるために、前記第１のスロット及び前記第２のスロットそれぞれの内部でスライド移動可能とされ、且つ、前記第１のスロット及び前記第２のスロットそれぞれの内部に受容され対向配置された、第１の弓形状顎部及び第２の弓形状顎部を含んでいる第２の部分、を備えている、ユーザーウェアラブル装置に結合可能な取付固定部と、
前記第１の軸線に直交する軸線回りに回動運動するために、前記取付固定部の前記第２の部分に結合されたレンズハウジングと、
光源に結合されるように適合された第１の端部、及び前記レンズハウジングに結合された第２の端部を有している光導波管と、
前記レンズハウジング内に配置され、前記光源から前記レンズを通じて光を照射するように前記光導波管と協働する光学レンズと、
を備えていることを特徴とするユーザーウェアラブル照明組立体。
【請求項４】
前記第１の顎部に設けられている複数の第１の歯と、
前記第１のスロットに設けられており、前記第１の顎部が前記第１のスロットに受容された場合に前記第１の歯と咬合するように前記第１の歯と相補的な複数の第２の歯と、
をさらに備えている請求項３に記載の照明組立体。
【請求項５】
前記光学レンズが、前記光学レンズを通じて照射された光を収束させるように構成されていることを特徴とする請求項３に記載の照明組立体。
【請求項６】
ユーザーウェアラブル装置に結合されるように適合された第１の部分、前記第１の部分と相対的に第１の軸線回りに回動運動するために前記第１の部分に結合された第２の部分、及び前記第２の部分と相対的に前記第１の軸線と直交する第２の軸線回りに回動運動するために前記第２の部分に結合された第３の部分を備えた、ユーザーウェアラブル装置に結合可能な取付固定部と、
前記取付固定部の前記第３の部分に結合されたレンズハウジングと、
光源に結合されるように適合された第１の端部及び前記レンズハウジングに結合された第２の端部を有している光導波管と、
前記レンズハウジング内に配置され、且つ、前記光源から前記レンズを通じて光を照射するように前記光導波管と協働する光学レンズと、
を備えていることを特徴とするユーザーウェアラブル照明組立体。
【請求項７】
前記レンズハウジングが、前記第３の部分と相対的に前記第２の軸線と略平行な第３の軸線回りに回動運動するために前記第３の部分に結合されていることを特徴とする請求項６に記載の照明組立体。
【請求項８】
前記光学レンズが、前記光学レンズを通じて照射された光に収束されるように構成されていることを特徴とする請求項６に記載の照明組立体。
【発明の詳細な説明】
【技術分野】
【０００１】
［関連出願］
本出願は、２００５年１１月２３日に出願された米国仮特許出願番号６０／７３９，８７０号明細書の優先権を主張するものである。当該明細書全体は、参照により本明細書に組み込まれている。
【０００２】
本発明は、一般に医療装置及び歯科治療装置に関する。より詳しくは、医療目的及び歯科治療目的のためのユーザーウェアラブル照明装置に関する。
【背景技術】
【０００３】
ユーザーウェアラブル照明装置は、様々な医療処置及び／又は歯科治療処置を実施する際に、開業医を補助する照明を提供するものとして本発明の属する技術分野で知られている。例えば、Caplanなどの特許文献１は、ユーザーウェアラブル装置（例えば、眼鏡、フェイスシールド、ヘッドバンド、又は様々な他の装置）に取り外し可能に取り付けられている、軽量なユーザーウェアラブル照明組立体を開示している。特許文献１は、本出願の譲受人によって共有され、その全体が参照により本明細書に組み込まれている。特許文献１に開示されている照明装置は、離間された照明源から照明を照射するために、例えば光ファイバケーブルのような光導波管を利用している。
【０００４】
従来の照明装置は、従来利用可能とされた照明器具の様々な欠点を克服するために発展してきた。その一方で、そのようなユーザーウェアラブル照明装置のさらなる改善が、性能を犠牲にすることなく照明装置をさらに小型軽量にするために望まれている。
【特許文献１】米国特許第５，６６７，２９１号明細書
【発明の開示】
【発明が解決しようとする課題】
【０００５】
一の実施例においては、ユーザーウェアラブル照明組立体は、取付固定部によってユーザーウェアラブル装置（例えば、ゴーグル、眼鏡、フェイスシールド、ヘルメット、又は他の装置）に取り付けられているレンズハウジングを含んでいる。光導波管は、光源に結合されている第１の端部と、レンズハウジングに結合されている第２の端部とを有している。レンズハウジング内に配置されている光学レンズは、光導波管の第２の端部に面している略球状の表面と、光導波管の第２の端部から離間され面している非球状の表面とを有している。レンズは光導波管と協働し、光源からレンズを通じて光を照射して、所望の目標領域を明るく照射する。照明組立体は小型軽量であって、特に外科的処置及び／又は医療処置を実施する際に、より高い快適性をユーザーに提供するものである。
【課題を解決するための手段】
【０００６】
他の実施例においては、取付固定部は、照明組立体の照明を提供するために、第１の部分、第２の部分、及び第３の部分を備えている。第１の部分は、ユーザーウェアラブル装置に結合されるように適合されている。第２の部分は、第１の軸回りに回動運動をするために第１の部分に結合されている。この配置によって、照明組立体はユーザーウェアラブル装置を着用している人間の視線に沿って光を向けるように容易に調整可能とされる。
【０００７】
他の実施例においては、レンズハウジングは、第２の軸線に略平行な第３の軸線回りに回動運動をするために、取付固定部の第３の部分に結合されている。この配置によって、垂直軸線と同様に２本の軸線回りにレンズハウジングを独立に又は同時に調整すると、レンズを正確に所望の向きにすることができる。
【０００８】
他の実施例においては、レンズは、該レンズから照射された特定の光点に収束するように構成されている場合がある。光導波管が個々の光ファイバ要素の管束を備えている場合には、さもなければ該光ファイバ要素の端部に構造体を有している場合には、照射された光が収束され、所望の標的で概略一つになる。
【０００９】
これらの特徴及び他の特徴と、本発明の利点とは、添付図面と併せて以下の詳細説明を読めば、当業者にとっては実施可能な程度に明らかになる。
【００１０】
本明細書に組み込まれ本明細書の一部を構成する添付図面は、上述の本発明の概略説明及び以下の詳細説明と共に本発明の実施例を図説することにより、本発明の技術的思想を説明している。
【発明を実施するための最良の形態】
【００１１】
図１及び図２は、本発明の技術的思想における、実施可能なユーザーウェアラブル照明組立体１０を示している。照明組立体１０は、レンズハウジング組立体１２と、レンズハウジング組立体１２をユーザーウェアラブル装置１１（例えば、眼鏡、ゴーグル、フェイスシールド、マスク、ヘッドバンド、ヘルメット、又は様々な他の人体着用可能な装置）に取り付けるための取付固定部１４とを含んでいる。図示する実施例においては、可撓性を有する光導波路１６はレンズハウジング組立体１２から延在し、照明組立体１０から離間されている光源１７に結合されている。図５を参照すると、光導波路１６は、本発明の属する技術分野では知られている光ファイバ束を形成するように位置合わせされ且つ束ねられている複数のシングルストランド光ファイバ（individual fiber optic strand）（単一の管束１８として示される）を備えていることがわかる。代替的に、光導波管１６は、単一の液体充填部材、プラスチック、ガラス、若しくは他の材料から形成されたシングルファイバ、フォトニック結晶若しくは光源から理想的な経路に沿って光を導くことに適している様々な他の材料、を備えている。光導波路１６は、ＰＶＣ層と、光学ストランド（光ファイバの撚り線）の管束１８回りに巻かれた、任意の金属モノコイルとを備えている、前記光導波路に沿った外部防護カバー２０を有している。一の実施例においては、光ファイバに設けられた多くの開口部の直径は０．６６マイクロメートルであり、光学ストランドの直径は約５０マイクロメートルである。光ファイバケーブルの光学直径（optical diameter）は、従来の照明組立体で利用される光ファイバケーブルよりも小さい約１．６ミリメートルとされる。他の実施例においては、ファイバの多くの開口部が０．５５マイクロメートル以下（例えば、０．５５マイクロメートルか、これより小さい）とされていても良い。
【００１２】
図１及び図５に最もよく示されているように、光導波路１６の第１の端部２２は、光導波路１６を光源１７に結合するためのコネクタ２４を備えている。光源１７は、例えば、ハロゲン、キセノン、ＬＥＤ、又はショートアークメタルハライドランプ（short-arc metal halide lamp）のような商業的に利用可能な光ファイバ照明器であっても良い。ショートアークメタルハライド照明器は、例えばWelch Allyn Medical Products Skaneateles Falls, New Yorkから購入可能である。図示する実施例においては、コネクタ２４は、該コネクタを貫通する中央チャネル２６を有している、標準的なＡＣＭＩコネクタである。しかしながら、光導波路１６を光源に結合するために、様々な他のタイプのコネクタが代替的に利用可能とされる。光ファイバの管束１８上の保護カバー２０の一部は剥ぎ取られ、管束１８の第１の端部２１はコネクタ２４の第１の端部２８に挿通される。シングルストランド光ファイバのみがコネクタ２４の第２の端部３２で開口部３０に向かってチャネル２６を通じて延伸している。コネクタ２４は、前記光源の第１の端部２２を光源１７に容易に接続可能とするために、溝部３４及び／又は肩部３６のような様々な表面形体（surface feature）を備え得る。
【００１３】
細長い可撓性を有するブーツ３８は、コネクタ２４の第１の端部２８に結合され、歪みを解放するために光導波管１６の一部を覆って延在している。一の実施例では、ブーツ３８はシリコンから形成されている。しかしながら、様々な他のゴム弾性材料がブーツ３８を形成するために利用され得ることに留意すべきである。代替的に、ブーツ３８は、光導波管１６を歪み解放するために、様々な他の材料から形成され得る。
【００１４】
図１及び図５を参照すると、光導波管１６の第２の端部４０は、該第２の端部をレンズハウジング組立体１２に容易に結合するために、ネジ加工されたフェルール４２と螺合されている。図示されている実施例では、光学ストランドの管束１８を覆っている保護カバー２０は、光導波管１６の第２の端部４０から所定距離剥ぎ取られ、露出したストランドは前記フェルールを通じて挿通され延伸し、フェルール４２の第１の端部４６内の開口部４４に至っている。フェルール４２の第２の端部４８は管束１８及び保護カバー２０の一部を覆って延在し、接着又は他の方法によって光導波管１６に固定されている。外部ネジ４９はフェルール４２の第１の端部４６に形成されている。図示された実施例では、フェルール４２はアルミニウムから形成され、黒色アルマイト加工されている。代替的に、フェルール４２は様々な他の材料から形成されることに留意すべきである。
【００１５】
図２及び図３を参照すると、レンズハウジング組立体１２は、レンズ５６を受容するための、略円状の第１の開口部５４を備えた第１の端部５２と、該第１の端部に対向配置された第２の端部５８と、前記第１の端部より小さな第２の端部５８とハウジング５０の大きな第１の端部５２との間に第２の端部４０を受容するための、前記第１の開口部より小さな略円状の第２の開口部６０と、を有しているレンズハウジング５０を含んでいる。レンズハウジング５０を通じる通路は、第１の開口部５４及び第２の開口部６０に繋がっている。略円錐台状の表面６４が、縮径された中間部６２に沿って前記ハウジングの内部に形成されている。円錐台状の表面６４の仕上げは、容易に光導波管１６の第２の端部を通じて提供される光を散乱させることができる程度に粗い。第２の開口部６０に隣接してレンズハウジング５０内部に設けられた内部ネジ部６６は、光導波管１６の第２の端部４０でフェルール４２上に形成された外部ネジ部４９に対応するように構成されている。従って、光導波管１６の第２の端部４０は、レンズハウジング５０内部に螺合され、前記光導波管と前記レンズハウジングとは確実に固定されている。
【００１６】
レンズハウジング５０の第１の端部５２における第１の開口部５４は、光導波管１６からの光を収束し、且つ、レンズハウジング５０の第１の端部５２の前方の位置に向かって照射する光学レンズ５６を受容する大きさとされる。図示された実施例においては、光学レンズ５６は、図４に示す非球面レンズである。レンズ５６の直径７０は約１２．７ミリメートルであって、該レンズの中央厚さ７２は約７．５ミリメートルとされる。レンズ５６の縁部厚さは約３．１ミリメートルである。非球面５６ａは約１１．８ミリメートルの、クリアなレンズ口径を有し、該非球面の表面外形は数１に表わす円錐垂下方程式（conic sag equation）によって規定される。
【００１７】
【数１】
2007194196.tif 000003
【００１８】
ここで、
R = 6.10728（凸状部の曲率半径、単位：ミリ）
K = -0.622845（コーニック定数）
ρ=光軸からの、径方向の位置
である。
【００１９】
対向表面５６ｂは球状とされ、約１１．６ミリメートルの、クリアなレンズ口径及び約２９．８ミリメートルの曲率半径を有している。レンズ５６は有効焦点距離約１０．４ミリメートルでバック焦点距離約６ミリメートルとされ、Ｓｃｈｏｔｔ  Ｂ２７０又は屈折率約１．５２（ｎｄ）の及びアッベ数（Abbe dispersion number）約５８．５７（ｖｄ）とされる等価なガラスから成形されている。レンズ５６の表面には、反射防止膜がコーティングされている。
【００２０】
典型的な実施例では、レンズ５６の非球面形状は、個々の光学ストランドから放射され、且つ、レンズ５６を通じて照射される光が意図した標的距離で実質的に一つになっているように見られるように、照明組立体１０に光学収差するように規定されている。例えば、前記収差によって、前記標的での各光点における視覚的な差異が低減されるか、又は消滅し、光ファイバの結束又は破損した光ファイバの破損によって生じる、各光点におけるギャップが低減されるか、又は消滅する。レンズ５６が非球面形状とされることによっても、比較的多くの開口部が小さな実装サイズ（package size）に設けられる。一の実施例においては、レンズ５６にも受けられた多くの開口部が光導波管１６の多くの開口部に実質的に対応して選定される。光導波管１６及びレンズ５６の多くの開口部に実質的に対応している多くの開口部を有しているランプを備えた光源と共に利用される場合には、照明組立体１０から照射された光は最大となる。
【００２１】
図３を参照すると、レンズ５６はレンズハウジング５０の第１の開口部５４に取り付けられており、レンズハウジング５０の内面上に形成された環状肩部８０によって、第１の開口部５４内部に位置決めされている。環状溝８２は環状肩部８０上に設けられ、例えばＯリング８４のようなシール部材を受容する大きさとされている。レンズ５６は、第１の開口部５４に堅固に係合され、Ｏリング８４を圧縮することによって、曇らせるか、さもなければ照明組立体１０の光学性能を低下させる可能性がある湿気（infiltration moisture）や気体に対して、レンズハウジング５０の内部を密閉する。一の実施例においては、Ｏリング８４はシリコンから形成される。代替的には、Ｏリング８４は、様々な他の高分子材料やレンズ５６とレンズハウジング５０との間の密閉に適した様々な他の材料から形成され得る。レンズ５６は、接着剤を用いて所定位置に固定され得るか、摩擦力により保持されるか、又は前記レンズと第１の開口部５４との大きさを略一致させることによって所定位置に嵌め込まれ得る。
【００２２】
レンズ５６が第１の開口部５４の所定位置に取り付けられた状態においては、レンズ５６と光導波管１６の第２の端部４０との距離は、フェレール４２のネジ加工された第１の端部４６を、レンズハウジング５０の第２の開口部６０に深く又は浅く差し込むことによって調整されるようになっている。一旦、所望の間隔が得られたら、光導波管１６の第２の端部４０とレンズ５６との相対的な位置は、接着剤を利用するか、又は他の適切な方法によって、光導波管１６の第２の端部４０をレンズハウジング５０の第２の端部５８に固定することによって決定される。
【００２３】
図２及び図３を参照すると、径方向且つ外方に延在している舌片部８６は、レンズハウジング５０の第２の端部５８から突出しており、容易にレンズハウジング５０を取付固定部１４と結合することができる。ボア８８は、レンズハウジング５０の中心軸線９０に垂直方向に舌片部８６を貫通して形成され、該ボアを通じて固定具を受容する大きさとされている。レンズハウジング５０は、ボア８８に沿って延在する軸線９２を中心として回動可能とされる。この点については、以下に詳述する。図示された実施例においては、レンズハウジング５０は熱可塑樹脂（例えば、ニューヨーク州ニューヨークのGeneral Electric Companyから入手可能なVALOX（登録商標））から形成されている。しかしながら、様々な他の高分子材料がレンズハウジング５０を形成するために利用可能であって、レンズハウジング５０は代替的に金属、セラミック、又はレンズハウジング５０の形成に適する様々な他の材料から形成可能とされることに留意すべきである。
【００２４】
図１及び図２を参照すると、照明組立体１０は、レンズハウジング組立体１２を眼鏡のブリッジ１００のようなユーザーウェアラブル装置に固定するための取付固定部１４をさらに含んでいる。図示された実施例においては、取付固定部１４は、前記レンズハウジング組立体をユーザーウェアラブル装置に固定するためのクリップ部材１１０、及びレンズハウジング組立体１２に結合するための、クリップ部材１１０から延在しているヨーク１１２を含んでいる。クリップ部材１１０は、ユーザーウェアラブル装置に直接取り付けられるか、該ユーザーウェアラブル装置に固定するように構成されているアダプタに取り付けられる場合もある。図示された実施例においては、取付固定部１４は、眼鏡のブリッジ１００に取付可能とされるブリッジ取付部１１４の形状とされたアダプタを含んでおり、クリップ部材１１０を受容するように構成されている。
【００２５】
図２、図６、及び図７を参照すると、クリップ部材１１０は、離間され対面しており、選択的に互いに近づけたり遠ざけたり調整することによりブリッジ取付部１１４に固定可能とされる、上部顎部１１６及び下部顎部１１８を備えている。上部顎部１１６及び下部顎部１１８は代替的に前記ウェアラブル装置に直接固定するように構成されている場合がある。上部顎部１１６及び下部顎部１１８は、クリップ部材１１０の中央部１２４から延在している弓形状クランプアーム１２０及び１２２それぞれの遠位端に配置されている。各顎部１１６，１１８は、対向配置されている顎部に向かう方向において、各クランプアーム１２０，１２２から内方に突出している。スロット１２５は、上部顎部１１６及び下部顎部１１８の湾曲部を容易に近づけたり遠ざけたりすることができるように、上部クランプアーム１２０及び下部クランプアーム１２２の交叉点で、クリップ部材１１０の中央部１２４を貫通して形成されている。
【００２６】
略円筒状のボス１２６，１２８は、関連する顎部１１６，１１８のクランプ面１３０，１３２から離隔される方向に上部クランプアーム１２０及び下部クランプアーム１２２の各々から延在している。上部クランプアーム１２０上のボス１２６を貫通して形成されている開口部１３４は、開口部１３４を貫通して且つ上部クランプアーム１２０と下部クランプアーム１２２との間の隙間を横切って延在している親指ネジ１３６を収容している。図２及び図３に最も詳細に示されているように、親指ネジ１３６は第１の端部１４０に拡大ヘッド１３８を有している。ローレット１４２は、工具を必要とすることなく、容易にユーザーが指で親指ネジ１３６を操作することができるように、ヘッド１３８に形成されている。図３及び図７に最も詳細に示されているように、ネジ加工されたインサート１５０が下部クランプアーム１２２上のボス１２８内に設けられている。インサート１５０は、親指ネジ１３６上に形成された雄ネジ部１４６に対応する雌ネジ部を有している。親指ネジ１３６を操作することによって、ユーザーはボルト軸部１４４をネジ加工されたインサート１５０に螺進螺退し、これにより、上部顎部１１６と下部顎部１１８との相対的な位置を調整することができる。
【００２７】
図１１〜図１３に最も詳細に示されているように、上部顎部１１６及び下部顎部１１８の遠位縁面１５２，１５４は、クランプアーム１２０，１２２の開端部の反対方向に延伸するような曲率半径を有する曲面とされる。各遠位縁面１５２，１５４に対向する各顎部１１６，１１８の側面１５６，１５８は、略平坦とされる。代替的に、側面１５６，１５８には、成形工程においてクリップ部材１１０を容易に製造するために、抜き勾配が設けられている場合がある。上部顎部１１６は略平坦なクランプ面１３０を有し、下部顎部１１８のクランプ面１３２は複数の溝状歯１６０を備えている。
【００２８】
一の実施例においては、クリップ部材１１０はDELRIN（登録商標）から形成される。その一方で、様々な他の高分子材料が利用可能とされることに留意すべきである。代替的に、クリップ部材１１０はレンズハウジング組立体１２をユーザーウェアラブル装置に取り付けるために適した様々な他の材料から形成される場合もある。
【００２９】
図８、図９、図１１、及び図１２を参照すると、典型的な実施例におけるブリッジ取付部１１４は、対向配置された上面１７０及び下面１７２と、対向配置された前面１７４及び後面１７６と、対向配置された端部１７８，１８０とを備えた略直方体形状とされる。一の実施例においては、ブリッジ部材１１４はZYTEL（登録商標）から形成される。その一方で、様々な他の高分子材料が利用可能とされることに留意すべきである。代替的には、ブリッジ部材１１４は、クリップ部材１１０をユーザーウェアラブル装置に結合するためのアダプタとして適した様々な他の材料から形成され得る。ブリッジ部材１１４は、容易にブリッジ部材１１４をユーザーウェアラブル装置に取り付けるために、ザグリ穴（counter-bored through-hole）１１５を含んでいる。
【００３０】
図示された実施例においては、上部スロット１８２及び下部スロット１８４は、それぞれブリッジ取付部１１４の上面１７０及び下面１７２に形成され、クリップ部材１１０の上部顎部１１６及び下部顎部１１８のうち対応する顎部を受容する大きさとされている。図９に最も詳細に示されているように、下部スロット１８４は、クリップ部材１１０の下部顎部１１８上に形成された歯１６０と結合するように構成されたＶ字状歯１８６を含んでいる。上部スロット１８２は、上部顎部１１６の平坦なクランプ面１３０と係合するために略平坦な表面１８８を有している。上部スロット１８２及び下部スロット１８４は、上部顎部１１６及び下部顎部１１８の遠位端の曲面１５２，１５４に対応するように略弓形状に形成されている。図１３に示すように、上部顎部１１６及び下部顎部１１８がブリッジ取付部１１４の各スロット１８２，１８４に位置している場合には、顎部１１６，１１８の曲面１５２，１５４がスロット１８２，１８４の弓形状側壁と係合している状態で、各スロット１８２，１８４内部で側方に上部顎部１１６及び下部顎部１１８を活動することによって、照明組立体１０の略垂直軸回りの角度を調整することができる。
【００３１】
下部顎部１１８の歯１６０及び下部スロット１８４に形成された歯１８６は、顎部１１６，１１８の遠位端面１５２，１５４の曲面中心に対応する中心から伸びる放射状の線に沿って延在し、顎部１１６，１１８がスロット１８２，１８４内部で側方に調整された場合に歯が係合するようになっている。照明組立体１０が所望の位置に位置決めされた場合には、親指ネジ１３６を利用し所望の位置に照明組立体１０を保持することによって、顎部１１６，１１８はブリッジ取付部１１４に抗して堅固に把持される。
【００３２】
図６及び図７を参照すると、クランプ部材１１０は、上部クランプアーム１２０及び下部クランプアーム１２２の反対方向に中心部１２４から延伸し、且つ、互いに離隔配置された第１のクレビスアーム（clevis arm）及び第２のクレビスアームを含んでいる。クレビスアーム１９０，１９２は上部クランプアーム１２０及び下部クランプアーム１２２から約９０°の角度に向いている。第１のクレビスアーム１９０及び第２のクレビスアーム１９２を貫通して形成された各ボア１９４，１９６は、固定具を受容する大きさとされている。クレビスアーム１９０，１９２の外面に設けられた、対応する凹所１９８，１９９は、固定具のヘッド又は六角ナットを受容するように適合されている。
【００３３】
図２、図３、及び図１０を参照すると、取付固定部１４は、クリップ部材１１０と、レンズハウジング５０に回動自在に結合されているヨーク１１２とをさらに含んでいる。該ヨークは、ZYTEL（登録商標）、様々な他の高分子材料、又はレンズハウジング組立体１２を支持し、レンズハウジング組立体１２をクリップ部材１１０に結合するために適した他の材料から形成されている場合もある。図示された実施例においては、ヨーク１１２は屈曲された細長いヨークアーム２００を備えている。該ヨークアームは、第１の端部２０２及び第２の端部２０４を有している。ヨークアーム２００の第１の端部２０２は、クリップ部材１１０の第１のクレビスアーム１９０と第２のクレビスアーム１９２との間に受容されるように構成され、前記端部を貫通して形成されたボア２０６を有している。ヨーク１１２は、ヨークアーム２００の第１の端部２０２を貫通するボア２０６を、第１のクレバスアーム１９０を貫通するボア１９４及び第２のクレバスアーム１９２を貫通するボア１９６と位置合せし、固定具（例えばネジやボルト２０８）を位置合せされたボア１９４，１９６，２０６を通じて挿入することによって、クリップ部材１１０に固定されている。このように結合されることによって、ヨーク１１２は位置合せされたボア１９４，１９６，２０６の中心線に略一致して延伸している軸線２１０回りに回動可能とされる。照明組立体１０がユーザーウェアラブル装置に取り付けられた場合には、軸線２１０は略水平とされる。ヨークアーム２００の第１の端部２０２は、ヨーク１１２と機能的に係合し、これにより、ヨーク１１２をクリップ部材１１０と相対的に所望の角度に維持するために、ネジ２０８を関連するナット又は他の取付金具に螺合させることによって、第１のクレビスアーム１９０と第２のクレビスアーム１９２との間に堅固に把持されている。
【００３４】
ヨークアーム２００の第２の端部２０４は、互いに離隔された第１のクレビスアーム２１２及び第２のクレビスアーム２１４を備えている。第１のクレビスアーム２１２及び第２のクレビスアーム２１４を貫通して形成されたボア２１６，２１８のそれぞれが、クリップ部材１１０の第１のクレビスアーム１９２及び第２のクレビスアーム１９４を通過する軸線２１０と略平行な軸線２２０に沿って位置合せされている。これにより、取付固定部１４がユーザーウェアラブル装置１１に固定されている場合には、ヨークのクレビスアーム２１２，２１４を通過する軸線２２０は略水平とされる。レンズハウジング５０は、レンズハウジング５０の舌片部８６をヨーク１１２の第１のクレビスアーム２１２と第２のクレビスアーム２１４との間に挿入し、且つ、各ボア８８，２１６，２１８を位置合せし、さらに固定部材２２４を各ボア８８，２１６，２１８に挿入することによって、ヨークアーム２００の第２の端部２０４に回動可能に結合されている。固定具２２４は、ナット又は他の適切な金具を利用することによって、ヨーク１１２に螺合可能に固定し調整可能とされる。図示された実施例においては、凹所２２６，２２８は第１のクレビスアーム２１２及び第２のクレビスアーム２１４の外面部に形成され、固定具のヘッド及び／又は対応するナットを受容する大きさ及び形状とされている。このように結合されるので、レンズハウジング５０は、ハウジングの接片部８６、第１のクレビスアーム２１２、及び第２のクレビスアーム２１４の各ボア８８，２１６，２１８を通じて延伸している軸線２２０回りに回動可能とされる。レンズハウジング５０が所望の向きに調整されている場合には、固定具２２４は、第１のクレビスアーム２１２と第２のクレビスアーム２１４との間にハウジングの舌片部８６を把持するように締結されている。
【００３５】
上述のように、本発明における照明組立体１０は、利便性が高く軽量で且つ簡便に調整可能な、ユーザーウェアラブル装置に取り外し可能に固定されている照明源を提供する。照明組立体１０は、従来利用可能な照明装置よりも実質的に小さいレンズハウジング５０から所望の目標領域を明るく照らすことができる。特に長時間、照明組立体１０を着用する必要がある場合もある外科的処置及び／又は医療的処置を実施する際に、小型軽量の照明組立体１０によって、ユーザーの快適性が確実に高められる。
【００３６】
使用の際に、照明組立体１０は、本発明装置を着用した利用者の視線に沿って、容易に光の向きを調整可能とされる。特に、レンズハウジング５０は、利用者の視線と同一方向にレンズハウジング５０から照射される光の位置合わせを選択的に調整可能とされる。このことによって、照射された光が利用者の視線と同一方向でない場合に生じる影をなくすことができる。レンズハウジング５０は、同時に又は独立的に垂直軸線回りに及び２本の水平軸線２１０，２２０回りに回動自在に調整可能とされる。これにより、レンズ５６の位置及び角度が特定の利用者によって所望の向きに正確に調整可能とされる。光源が照明組立体１０から離間されているので、利用者が支持する必要がある重量を増やすことなく、熱源も利用者の頭部及び顔から離間された状態を保つことができる。
【００３７】
本発明が１つ以上の実施例の説明によって図解され、実施例が極めて詳細に説明されているが、本発明の技術的範囲をその詳細説明に限定する訳ではないことに留意すべきである。付加的な改良は当業者にとって明らかである。従って、本発明は、特定の詳細例、代表的装置及び方法、図示され説明された実施例に限定される訳ではない。さらには、一般的発明概念から逸脱することなく、改良発明をそのような詳細例から導くことができる。
【図面の簡単な説明】
【００３８】
【図１】本発明における、典型的なユーザーウェアラブル照明組立体の斜視図である。
【図２】図１のユーザーウェアラブル照明組立体の拡大斜視図である。
【図３】図１の照明組立体の側面の断面図である。
【図４】図１の照明組立体におけるレンズの側面図である。
【図５】図１の照明組立体における光導波管の断面図である。
【図６】図１の照明組立体のクリップ部材の斜視図である。
【図７】図６に類する、下方から見たクリップ部材の斜視図である。
【図８】図１の照明組立体におけるブリッジ取付部の斜視図である。
【図９】図８に類する、下方から見たブリッジ取付部の斜視図である。
【図１０】図１の照明組立体におけるヨークの斜視図である。
【図１１】図１の照明組立体の上面図である。
【図１２】図１の照明組立体の下面図である。
【図１３】図１の照明組立体の動作を示す、図１１に類する上面図である。
【符号の説明】
【００３９】
１０  ユーザーウェアラブル照明組立体
１１  ユーザーウェアラブル装置
１２  レンズハウジング組立体
１６  光導波路
１７  光源
１８  管束
２０  外部防護カバー
２２  第１の端部
２４  コネクタ
２６  中央チャネル
２８  第１の端部
３２  第２の端部
３４  溝部
３６  肩部
【図１】
2007194196.tif 000004
【図２】
2007194196.tif 000005
【図３】
2007194196.tif 000006
【図４】
2007194196.tif 000007
【図５】
2007194196.tif 000008
【図６】
2007194196.tif 000009
【図７】
2007194196.tif 000010
【図８】
2007194196.tif 000011
【図９】
2007194196.tif 000012
【図１０】
2007194196.tif 000013
【図１１】
2007194196.tif 000014
【図１２】
2007194196.tif 000015
【図１３】
2007194196.tif 000016
【外国語明細書】
2007194196.tif 000017
2007194196.tif 000018
2007194196.tif 000019
2007194196.tif 000020
2007194196.tif 000021
2007194196.tif 000022
2007194196.tif 000023
2007194196.tif 000024
2007194196.tif 000025
2007194196.tif 000026
2007194196.tif 000027
2007194196.tif 000028
2007194196.tif 000029
2007194196.tif 000030
2007194196.tif 000031
2007194196.tif 000032
2007194196.tif 000033
2007194196.tif 000034
2007194196.tif 000035
2007194196.tif 000036
2007194196.tif 000037
2007194196.tif 000038
2007194196.tif 000039
2007194196.tif 000040
2007194196.tif 000041
2007194196.tif 000042
2007194196.tif 000043
2007194196.tif 000044
2007194196.tif 000045
2007194196.tif 000046